(57)【要約】【課題】簡素で安価な構成により丸穴の内径寸法および真円度を正確かつ容易に測定可能にする。【解決手段】本発明に係る測定器具１１は、１ｍｍ以下の内径寸法公差が要求される丸穴に挿入されるテーパー度１／１０以下のテーパー円柱形状の測定部１２と、この測定部１２の外周面のテーパー方向に沿って帯状に延在するように形成されて上記丸穴の内周面に接触する複数の接触突起部１５と、同じく測定部１２の外周面にテーパー方向に沿って延在するように形成されて接触突起部１５の丸穴に挿入された部分の最大太さを寸法表示する寸法表示部１６とを有し、上記接触突起部１５を測定部１２の円周方向に所定間隔で配置したことを特徴とする。【選択図】  図１
2006201048.tif 000002
【特許請求の範囲】
【請求項１】
１ｍｍ以下の内径寸法公差が要求される丸穴に挿入されるテーパー度１／１０以下のテーパー円柱形状の測定部と、この測定部の外周面のテーパー方向に沿って帯状に延在するように設けられて上記丸穴の内周面に接触する複数の接触突起部と、同じく測定部の外周面にテーパー方向に沿って延在するように設けられて接触突起部の丸穴に挿入された部分の最大太さを寸法表示する寸法表示部とを有し、上記接触突起部を測定部の円周方向に所定間隔で配置したことを特徴とする測定器具。
【請求項２】
上記接触突起部を上記測定部の外周面の円周方向に１８０°間隔で２つ設けたことを特徴とする請求項１に記載の測定器具。
【請求項３】
上記接触突起部を上記測定部の外周面の円周方向に所定の間隔で３つ以上設けたことを特徴とする請求項１に記載の測定器具。
【請求項４】
上記接触突起部の外周面の（円周方向の）曲率を、上記丸穴の内周面の曲率未満に設定したことを特徴とする請求項１〜３のいずれかに記載の測定器具。
【請求項５】
上記測定部の外径と上記接触突起部の外径との寸法差を上記丸穴の内径寸法公差範囲程度としたことを特徴とする請求項１〜４のいずれかに記載の測定器具。
【請求項６】
１ｍｍ以下の内径寸法公差が要求される丸穴に挿入されるテーパー度１／１０以下のテーパー円柱形状の測定部の外周面に、この測定部とは別体に形成されて測定部のテーパー方向に沿って帯状に延在し上記丸穴の内周面に接触する複数の接触突起部を固着するとともに、同じく測定部の外周面にテーパー方向に沿って延在して測定部の丸穴に挿入された部分の最大太さを寸法表示する寸法表示部を形成することを特徴とする測定器具の製造方法。
【請求項７】
上記接触突起部を帯状に形成して上記測定部の表面に貼着することを特徴とする請求項６に記載の測定器具の製造方法。
【請求項８】
上記接触突起部を棒状に形成して上記測定部の表面に刻設した溝に嵌合固定することを特徴とする請求項６に記載の測定器具の製造方法。
【請求項９】
上記接触突起部を上記測定部に設けてから接触突起部の外表面の外径を規定寸法に仕上げることを特徴とする請求項６〜８のいずれかに記載の測定器具の製造方法。
【発明の詳細な説明】
【技術分野】
【０００１】
本発明は、丸穴の内径寸法および真円度を測定するための測定器具およびその製造方法に関するものである。
【背景技術】
【０００２】
従来、丸穴の内径寸法が公差範囲内に入っているか否かを検査するために特許文献１に示されるような栓ゲージ（プラグゲージ）が用いられてきた。両頭式の栓ゲージの場合は一端に通り側、他端に止まり側のゲージ部（プラグ）がそれぞれ設けられ、通り側のゲージ部の直径が公差範囲の最小値、止まり側のゲージ部の直径が公差範囲の最大値に設定されている。
【０００３】
通り側のゲージ部が丸穴に入って止まり側のゲージ部が丸穴に入らなければ丸穴の内径寸法は公差範囲内に入っており、通り側のゲージ部が丸穴に入らなければ穴の内径寸法は公差範囲よりも小さく、止まり側のゲージ部が丸穴に入れば丸穴の内径寸法は公差範囲よりも大きいことになる。
【０００４】
一方、特許文献２に示すようなテーパーゲージも開発されている。このテーパーゲージは、テーパー状に形成された基板のテーパー方向に沿って目盛りを設けてあり、この基板を丸穴に挿入し、挿入された部分までの目盛りを読むことによって寸法を測定するものである。
【特許文献１】特開２００１−１１６５０２号公報
【特許文献２】特開２００１−３４３２０２号公報
【発明の開示】
【発明が解決しようとする課題】
【０００５】
しかしながら、特許文献１のような栓ゲージでは丸穴の内径が公差範囲内に入っているか否かのみしか判定できず、正確な内径寸法を測定することができなかった。また、丸穴の真円度を測定することもできなかった。丸穴の内径寸法や真円度を精密に測定するには内径寸法用のダイヤルゲージとその保持機器類を用いる必要があり、測定が困難な上に設備面で高価であった。
【０００６】
一方、特許文献２のようなテーパーゲージでは、そのテーパー度が多大なため、精密な測定には適さない。しかも、テーパーゲージの厚みが薄いため、丸穴の内部に挿入した場合にはテーパーゲージが必ずしも丸穴の最大直径部に当てがわれず、測定誤差が生じる懸念があった。
【０００７】
本発明は、上記問題点を解決するためになされたものであり、簡素で安価な構成により丸穴の内径寸法および真円度を正確かつ容易に測定することができる測定器具およびその製造方法を提供することを目的とする。
【課題を解決するための手段】
【０００８】
上記目的を達成するため、本発明に係る測定器具は、１ｍｍ以下の内径寸法公差が要求される丸穴に挿入されるテーパー度１／１０以下のテーパー円柱形状の測定部と、この測定部の外周面のテーパー方向に沿って帯状に延在するように設けられて上記丸穴の内周面に接触する複数の接触突起部と、同じく測定部の外周面にテーパー方向に沿って延在するように設けられて接触突起部の丸穴に挿入された部分の最大太さを寸法表示する寸法表示部とを有し、上記接触突起部を測定部の円周方向に所定間隔で配置したことを特徴とする。
【０００９】
また、本発明に係る測定器具は、上記接触突起部を上記測定部の外周面の円周方向に１８０°間隔で２つ設けたことを特徴とする。
【００１０】
さらに、本発明に係る測定器具は、上記接触突起部を上記測定部の外周面の円周方向に所定の間隔で３つ以上設けたことを特徴とする。
【００１１】
また、本発明に係る測定器具は、上記接触突起部の外周面の（円周方向の）曲率を、上記丸穴の内周面の曲率未満に設定したことを特徴とする。
【００１２】
そして、本発明に係る測定器具は、上記測定部の外径と上記接触突起部の外径との寸法差を上記丸穴の内径寸法公差範囲程度としたことを特徴とする。
【００１３】
一方、本発明に係る測定器具の製造方法は、１ｍｍ以下の内径寸法公差が要求される丸穴に挿入されるテーパー度１／１０以下のテーパー円柱形状の測定部の外周面に、この測定部とは別体に形成されて測定部のテーパー方向に沿って帯状に延在し上記丸穴の内周面に接触する複数の接触突起部を固着するとともに、同じく測定部の外周面にテーパー方向に沿って延在して測定部の丸穴に挿入された部分の最大太さを寸法表示する寸法表示部を形成することを特徴とする。
【００１４】
また、本発明に係る測定器具の製造方法は、上記接触突起部を帯状に形成して上記測定部の表面に貼着することを特徴とする。
【００１５】
さらに、本発明に係る測定器具の製造方法は、上記接触突起部を棒状に形成して上記測定部の表面に刻設した溝に嵌合固定することを特徴とする。
【００１６】
そして、本発明に係る測定器具の製造方法は、上記接触突起部を上記測定部に設けてから接触突起部の外表面の外径を規定寸法に仕上げることを特徴とする。
【発明の効果】
【００１７】
本発明に係る測定器具によれば、測定部を丸穴に挿入し、テーパー棒状の測定部が止まった位置で寸法表示部の寸法を読み取ることにより、丸穴の内径寸法を正確かつ容易に測定することができ、しかも形状が簡素なため安価に製造することができる。
【００１８】
また、測定部を丸穴の内径に縦方向と横方向に挿入することにより、丸穴の真円度を正確かつ容易に測定することができる。
【００１９】
さらに、接触突起部の外周面の（円周方向の）曲率を丸穴の内周面の曲率未満に設定したことにより、接触突起部の外周面を丸穴の内周面に線接触させ、より正確に丸穴の内径および真円度を測定することができる。
【００２０】
測定部の外径と接触突起部の外径との寸法差を丸穴の内径寸法公差範囲程度に設定したことにより、丸穴の内部に挿入された測定部の軸心が丸穴の軸心に一致しやすく、測定部の倒れが起こりにくいため、測定誤差が生じにくく正確な内径測定ができる。
【００２１】
また、本発明に係る測定器具の製造方法によれば、測定器具の製造性を高めて安価に製造することができる。
【発明を実施するための最良の形態】
【００２２】
以下に、本発明の実施形態について図を参照しながら説明する。
【００２３】
［第１実施例］
図１は、本発明に係る測定器具の第１実施例を示す側面図、図２は図１のII矢視図、図３は図１のIII-III線に沿う縦断面図である。
【００２４】
この測定器具１１は、例えば直径Φ２０mm前後で１ｍｍ以下の公差範囲を必要とする丸穴の内径寸法を測定するためのものであり、丸穴に挿入される測定部１２と、この測定部の先端に一体的に設けられたガイド部１３と、測定部１２の後端に一体的に設けられた把持部１４と、測定部１２の外周面に形成された複数の接触突起部１５と、同じく測定部１２の外周面に形成された寸法表示部１６とを備えて構成されている。
【００２５】
測定部１２は丸穴の内径部に挿入可能なテーパー円柱形状に形成されており、その長さは例えば１１０ｍｍとされ、測定部１２の径方向の断面形状は真円形である。
【００２６】
接触突起部１５は、測定部１２の外周面のテーパー方向に沿って帯状に延在するように設けられており、測定部１２の円周方向に所定の間隔で配置される。この実施例では例えば１８０°間隔で２つの接触突起部１５が配置されている。測定部１２が丸穴に挿入された際には接触突起部１５の外周面が丸穴の内周面に接触し、測定部１２の外周面は丸穴の内周面に接触しない。
【００２７】
ここで、測定部１２の外径と接触突起部１５の外径との寸法差は、測定しようとする丸穴の内径寸法公差範囲程度に設定するのが望ましい。例えば、丸穴の寸法公差がΦ２０mm±０．１mmならば、測定部１２と接触突起部１５との外径差を０．２mm程度に設定する。なお、この寸法差を若干大きくして０．３〜０．７mm程度に設定してもよい。
【００２８】
さらに、測定部１２のテーパー方向に沿って目盛状の寸法表示部１６が形成されている。この寸法表示部１６の各目盛は、その位置における接触突起部１５の外径に正確に対応しており、接触突起部１５の丸穴に挿入された部分の最大太さを寸法表示することができる。
【００２９】
寸法表示部１６の長さは例えば１００ｍｍとされ、寸法表示部１６の先端部における接触突起部１５の外径が１９．５０ｍｍ、寸法表示部１６の後端部における接触突起部１５の外径が２０．５０ｍｍ、寸法表示部１６の最小目盛は０．０１mmとなっており、測定部１２と接触突起部１５のテーパー度は１／１００とされている。
【００３０】
ガイド部１３の長さは例えば２０ｍｍ程度とされ、そのテーパー度は測定部１２（接触突起部１５）のテーパー度よりも著しく大きくされている。例えばガイド部１３の先端部の外径よりも根元部の外径の方が１０ｍｍ大きく、そのテーパー度は１／４に設定されている。ガイド部１３の最大外径寸法は接触突起部１５の最小外径寸法に等しく、当然測定部１２の最小外径よりも大きい。
【００３１】
なお、把持部１４の外径および長さは、測定器具１１を容易に把持できる寸法であればよく、ここでは例えば外径１５ｍｍ、長さ５０ｍｍ程度である。
【００３２】
この測定器具１１を用いて丸穴の内径寸法を測定する時は、図４に示すように測定部１２（接触突起部１５）を丸穴１７に挿入し、テーパー状の接触突起部１５が止まった位置での寸法表示部１６の最大寸法を読み取る。なお、ガイド部１３により測定部１２（接触突起部１５）の丸穴１７への挿入が非常にスムーズになる。
【００３３】
測定部１２はテーパー円柱形状であり、この測定部１２の外周面の長手方向に延在するように２つの帯状の接触突起部１５が円周方向に等間隔（１８０°）で配置されているため、測定部１２の軸心と丸穴１７の中心との芯ずれを防止して丸穴１７の内径寸法を正確かつ容易に測定することができる。
【００３４】
図５に縦断面で示すように、丸穴１７に挿入された測定部１２は、その接触突起部１５のみが丸穴１７の内径部に接触し、測定部１２の外周面は丸穴１７の内径部に接触しないため、測定部１２を丸穴１７の内径部に縦方向と横方向に挿入することにより、丸穴１７の真円度を正確かつ容易に測定することができる。
【００３５】
また、測定部１２の外径と接触突起部１５の外径との寸法差を丸穴１７の内径寸法公差範囲程度に小さく設定して測定部１２の外径を丸穴１７の内径に近づけたことにより、測定部１２を丸穴１７の中に挿入した際に接触突起部１５を丸穴１７の最大直径部に案内すると同時に測定部１２の芯ずれ（傾き）による測定誤差の発生を防ぐことができる。
【００３６】
図６に拡大して示すように、接触突起部１５の外周面の円周方向の曲率は丸穴１７の内周面の曲率と等しくしてもよいが、図７に示すように接触突起部１５の外周面の曲率を丸穴１７の内周面の曲率未満に設定したり、図８に示すように接触突起部１５の外周面を円筒状に形成してもよい。
【００３７】
接触突起部１５を図７、図８のような形状にすることにより、接触突起部１５をその外周面の頂部１５ａにて丸穴１７の内周面に線接触させることができ、より正確に丸穴１７の内径および真円度を測定することができる。
【００３８】
しかも、接触突起部１５と丸穴１７の内周面との間に塵埃等の異物が噛み込む懸念があるような場合には、測定部１２を丸穴１７の内部で少し捻る（回転させる）ことにより、この異物を接触突起部１５と丸穴１７の内周面との間から排出して精度の高い測定を行うことができる。
【００３９】
以上のように構成された測定器具１１を用いれば、従来のように内径寸法用のダイヤルゲージやその保持機器類といった設備が一切不要になるため、非常に安価かつ容易に丸穴１７の内径寸法を測定することができる。
【００４０】
［第２実施例］
図９は、本発明に係る測定器具の第２実施例を示す側面図である。この測定器具２１は、測定部２２とガイド部２３と把持部２４と、測定部２２の外周面に形成された複数の接触突起部２５と、同じく測定部２２の外周面に形成された寸法表示部２６とを備えている点は第１実施例の測定器具１１と同様である。
【００４１】
測定部２２は、そのテーパー中心軸Ｃ２が全体中心軸Ｃ１に対して傾斜しており、１つの接触突起部２５の外辺２７が全体中心軸Ｃ１に平行している。そして、この一辺２７に沿って寸法表示部２６が形成されている。
【００４２】
このように、１つの接触突起部２５の外辺２７を全体中心軸Ｃ１に平行させることにより、外辺２７を丸穴２８の内壁に密着させて測定部２２（寸法表示部２６）の傾きを除去し、精度の高い測定を行うことができる。
【００４３】
［第３実施例］
図１０は、本発明に係る測定器具の第３実施例を示す縦断面図である。この測定器具３１は、テーパー円柱形状の測定部３２の外周面に３つの接触突起部３５が等間隔で形成されている。各接触突起部３５は測定部３２外周面のテーパー方向に沿って帯状に延在し、かつ円周方向に所定の等間隔で設けられている。
【００４４】
３つの接触突起部３５の円周方向の間隔は１２０°間隔であるが、例えば接触突起部３５を６０°間隔で６つ配置したり、さらに多く配置してスプライン断面状にしてもよい。
【００４５】
このように接触突起部３５を３つ以上設けることによって丸穴内における測定器具３１の傾きを確実に防止して正確な内径および真円度測定を行うことができる。
【００４６】
［第４実施例］
図１１は、本発明に係る測定器具の第４実施例を示す縦断面図である。この測定器具４１では、測定部４２の外周面に３つ以上の接触突起部４５が不等間隔で配置されている。
【００４７】
このように接触突起部４５を測定部４２の外周面に不等間隔で配置した場合も、丸穴内における測定器具３１の傾きを防止して正確な内径および真円度測定を行うことができる。接触突起部４５の数および間隔は測定器具４１の使用目的（使用部位）に応じて適宜設定する。
【００４８】
なお、上記第３実施例および第４実施例の測定器具３１，４１における接触突起部３５，４５の断面形状を図７、図８のような形状にして各接触突起部３５，４５を丸穴の内周面に線接触させてもよい。
【００４９】
［製造方法］
前記第１実施例乃至第４実施例に示した測定器具１１，２１，３１，４１の製造方法として好ましいのは、測定部１２，２２，３２，４２と接触突起部１５，２５，３５，４５を別体に形成してから両部材を互いに固定する方法である。
【００５０】
その場合の手順の１つとして、まず測定部１２，２２（３２，４２）を旋削等によりテーパー円柱形状に製作して外周寸法を規定寸法に仕上げた後に、図１２に示すように帯状に形成した接触突起部１５，２５（３５，４５）を測定部１２，２２（３２，４２）の外周面に貼着、あるいは溶着等により固定する方法がある。
【００５１】
または、図１３に示すように棒状に形成した接触突起部１５，２５（３５，４５）を測定部１２，２２（３２，４２）の外周面に刻設した溝１８に嵌合固定する方法がある。
【００５２】
いずれの場合も、接触突起部１５，２５（３５，４５）を測定部１２，２２（３２，４２）に固定した後、場合によっては所定の放置時間を経てから、接触突起部１５，２５（３５，４５）の外表面の外径を規定寸法に仕上げるようにすれば、接着や溶着、嵌合等により変形しがちな接触突起部１５，２５（３５，４５）の外周面を正確な寸法に仕上げることができる。
【００５３】
［各実施例について］
上記第１実施例乃至第４実施例では測定部１２，２２，３２，４２が中実丸棒状に形成されているが、例えば中空パイプ状に形成すれば測定器具１１，２１，３１，４１の重量を大幅に軽量化してその取り扱いを容易にするとともに、材料削減等を図ることができる。
【００５４】
さらに、上記各実施例における測定部１２，２２，３２，４２のテーパー部は直線テーパー状であるが、図１４(A),(B)に示すような二次曲線状等にしてもよい。こうすることにより、測定部１２，２２（３２，４２）と丸穴との間の抜き差しを容易にしたり、両者間の食い付きを防止することができる。
【００５５】
ところで、本発明に係る測定器具は、例えば部品の内外径を自動測定する自動測定機等の計測機器類にも幅広く応用することができる。
【図面の簡単な説明】
【００５６】
【図１】本発明に係る測定器具の第１実施例を示す側面図。
【図２】図１のII矢視図。
【図３】図１のIII-III線に沿う縦断面図。
【図４】測定器具の使用状態を示す側面図。
【図５】測定器具の使用状態を示す縦断面図。
【図６】接触突起部の外周面の形状を示す縦断面図。
【図７】接触突起部の外周面の形状を示す縦断面図。
【図８】接触突起部の外周面の形状を示す縦断面図。
【図９】本発明に係る測定器具の第２実施例を示す側面図。
【図１０】本発明に係る測定器具の第３実施例を示す縦断面図。
【図１１】本発明に係る測定器具の第４実施例を示す縦断面図。
【図１２】本発明に係る測定器具の製造方法を示す縦断面図。
【図１３】本発明に係る測定器具の製造方法を示す縦断面図。
【図１４】(A),(B)とも測定部のテーパー部を二次曲線状にした例を示す図。
【符号の説明】
【００５７】
１１  測定器具
１２  測定部
１３  ガイド部
１４  把持部
１５  接触突起部
１６  寸法表示部
１７  丸穴
【図１】
2006201048.tif 000003
【図２】
2006201048.tif 000004
【図３】
2006201048.tif 000005
【図４】
2006201048.tif 000006
【図５】
2006201048.tif 000007
【図６】
2006201048.tif 000008
【図７】
2006201048.tif 000009
【図８】
2006201048.tif 000010
【図９】
2006201048.tif 000011
【図１０】
2006201048.tif 000012
【図１１】
2006201048.tif 000013
【図１２】
2006201048.tif 000014
【図１３】
2006201048.tif 000015
【図１４】
2006201048.tif 000016